(57)【特許請求の範囲】
【請求項１】
成形樹脂製のスイッチケースの凹部内に、凸状に加工された中央接触部および外側接触部が位置するように、上記スイッチケースに金属板製の中央固定接点および外側固定接点が固定され、上記中央固定接点の中央接触部と所定間隔をあけて中央下面が対峙するように上記外側固定接点の外側接触部の上に外周下端を当接させて配されたドーム状の可動接点を備え、上記各固定接点の接触部からの延出部分としてなる引き回し部が、その上面を上記スイッチケースの絶縁樹脂で覆われるようにして上記スイッチケースの凹部内底面を構成している底部の絶縁樹脂内に埋設されて配されたプッシュスイッチであって、上記各固定接点の引き回し部が、上記スイッチケースの凹部内底面を構成している底部内において上記スイッチケースの外方まで直線的に延出されると共に、その引き回し部における上記可動接点の外周下端に応じた位置が上記各固定接点を構成する金属板の材厚よりも薄い薄肉部として形成され、その薄肉部上を含んで上記引き回し部の上面が上記スイッチケースの絶縁樹脂で覆われるようにして上記引き回し部が上記スイッチケースの底部内に埋設固定されることにより、上記可動接点と上記中央固定接点との確実な電気的絶縁状態が確保されつつ上記スイッチケースの底部の厚みが上記各固定接点を構成する金属板の材厚に応じた厚みのものとして形成されていることを特徴としたプッシュスイッチ。
【請求項２】
引き回し部に加えて、固定接点の接触部の側部側に設けられた端部も薄肉部に形成されてスイッチケースの底部における絶縁樹脂内に固定されている請求項１記載のプッシュスイッチ。
【発明の詳細な説明】
【０００１】
【発明の属する技術分野】
本発明は、各種電子機器の操作部分等に搭載されるプッシュスイッチに関するものである。
【０００２】
【従来の技術】
近年、各種電子機器の小型化および薄型化が急速に進展し、これらに使用されるプッシュスイッチも小型および薄型のものが強く求められている。
【０００３】
このような従来のプッシュスイッチは、絶縁樹脂製のスイッチケースの凹部内に、接続用端子と一体に形成された凸状の接点を、その内底面から所定量突出させるようにしてインサート成形加工によって複数個固定し、それらの間を可動接点を介して電気的に断接するものが主流となっている。
【０００４】
このような従来のプッシュスイッチについて、図面を用いて説明する。
【０００５】
図９（ａ），（ｂ）は従来のプッシュスイッチの断面図、図１０は同要部であるスイッチケースの上面図である。
【０００６】
同図において、１は、箱状の絶縁樹脂製のスイッチケースであり、その凹部の内底面には、凸状に形成された中央および外側固定接点２および３がインサート成形により固定されている。
【０００７】
そして、この中央および外側固定接点２および３は、それぞれスイッチケース１の外側へ突出する接続用端子２Ａおよび３Ａと一体に形成されており、その各々の連結部である引き回し部２Ｂおよび３Ｂは、スイッチケース１の凹部内底面と略平行となるように曲げ加工が施されてスイッチケース１に埋設固定されている。
【０００８】
また、通常、中央および外側固定接点２および３は、その端部２Ｃおよび３Ｃに下方に向かう折り曲げ加工が施されたものとなっており、この端部２Ｃおよび３Ｃも、スイッチケース１の底部に埋設固定されている。
【０００９】
そして、４は、上方に膨らんだ円形ドーム状に形成された弾性を有する薄板金属製の可動接点であり、その外周下端４Ａは上記スイッチケース１の外側固定接点３上に載置されている。
【００１０】
このときに、可動接点４の外周下端４Ａと、上記中央固定接点２の引き回し部２Ｂとは、引き回し部２Ｂ上面を覆うスイッチケース１の絶縁樹脂により確実に電気的絶縁が図られるものとなっている。
【００１１】
そして、その上部に配された５は、下面に粘着剤を塗布された可撓性を有する絶縁フィルムで、スイッチケース１の上面開口部を覆うように凹部周囲の壁部１Ａ上に貼り付けられると共に、可動接点４の中央頂点部４Ｂが貼り付けられており、可動接点４をスイッチケース１内の所定位置に保持すると共に、スイッチ接点部分に対する粉塵、フラックス等の侵入を防止している。
【００１２】
次に、このように構成された従来のプッシュスイッチの動作について説明する。
【００１３】
まず、絶縁フィルム５の上方から押圧操作力を加えると、絶縁フィルム５を介して可動接点４に押圧力が加わり、その押圧力が所定の大きさを越えると、円形ドーム状の可動接点４は反転動作して中央頂点部４Ｂの裏面が中央固定接点２に接触し、可動接点４を介して外側固定接点３と中央固定接点２との間が導通、つまりそれぞれの接続用端子２Ａと３Ａとの間が導通したスイッチがオンの状態になる。
【００１４】
そして、その押圧操作力を除くと可動接点４は自らの弾性復元力により元の形状に復元し、図９に示すスイッチがオフの状態に戻るものであった。
【００１５】
【発明が解決しようとする課題】
しかしながら、上記従来のプッシュスイッチにおいては、それぞれの中央および外側固定接点２および３の引き回し部２Ｂおよび３Ｂと、その端部２Ｃおよび３Ｃとが、所定の折り曲げ加工を施されてスイッチケース１の底部内に埋設されているものであったため、スイッチケース１は、それらを埋設できる厚み寸法の底部を有するものとしなければならず、結果として上記構成ではプッシュスイッチの薄型化に限界があるものであった。
【００１６】
本発明は、このような従来の課題を解決するものであり、固定接点を底部に埋設固定しているにも拘わらず、スイッチケースの底部の厚みが薄い薄型のプッシュスイッチを提供することを目的とする。
【００１７】
【課題を解決するための手段】
上記目的を達成するために本発明は、成形樹脂製のスイッチケースの凹部内に、凸状に加工された中央接触部および外側接触部が位置するように、上記スイッチケースに金属板製の中央固定接点および外側固定接点が固定され、上記中央固定接点の中央接触部と所定間隔をあけて中央下面が対峙するように上記外側固定接点の外側接触部の上に外周下端を当接させて配されたドーム状の可動接点を備え、上記各固定接点の接触部からの延出部分としてなる引き回し部が、その上面を上記スイッチケースの絶縁樹脂で覆われるようにして上記スイッチケースの凹部内底面を構成している底部の絶縁樹脂内に埋設されて配されたプッシュスイッチであって、上記各固定接点の引き回し部を、上記スイッチケースの凹部内底面を構成している底部内において上記スイッチケースの外方まで直線的に延出させたものとすると共に、その引き回し部における上記可動接点の外周下端に応じた位置を上記各固定接点を構成する金属板の材厚よりも薄い薄肉部に形成したものとし、その薄肉部上を含む上記引き回し部の上面が上記スイッチケースの絶縁樹脂で覆われるように上記引き回し部を上記スイッチケースの底部内に埋設固定させる構成とするものである。
【００１８】
上記のようにして各固定接点をスイッチケースに対して固定したものとすることにより、各固定接点の接触部からの延出部分としてなる引き回し部が、その上面をスイッチケースの絶縁樹脂で覆われるようにしてスイッチケースの凹部内底面を構成している底部の絶縁樹脂内に埋設されて配された構成のものであっても、スイッチケースの底部の厚みを、固定接点を形成する金属板の材厚分のみを固定できるような薄いものとすることが可能となり、薄型のプッシュスイッチを容易に提供することができる。
【００１９】
【発明の実施の形態】
本発明の請求項１に記載の発明は、成形樹脂製のスイッチケースの凹部内に、凸状に加工された中央接触部および外側接触部が位置するように、上記スイッチケースに金属板製の中央固定接点および外側固定接点が固定され、上記中央固定接点の中央接触部と所定間隔をあけて中央下面が対峙するように上記外側固定接点の外側接触部の上に外周下端を当接させて配されたドーム状の可動接点を備え、上記各固定接点の接触部からの延出部分としてなる引き回し部が、その上面を上記スイッチケースの絶縁樹脂で覆われるようにして上記スイッチケースの凹部内底面を構成している底部の絶縁樹脂内に埋設されて配されたプッシュスイッチであって、上記各固定接点の引き回し部が、上記スイッチケースの凹部内底面を構成している底部内において上記スイッチケースの外方まで直線的に延出されると共に、その引き回し部における上記可動接点の外周下端に応じた位置が上記各固定接点を構成する金属板の材厚よりも薄い薄肉部として形成され、その薄肉部上を含んで上記引き回し部の上面が上記スイッチケースの絶縁樹脂で覆われるようにして上記引き回し部が上記スイッチケースの底部内に埋設固定されることにより、上記可動接点と上記中央固定接点との確実な電気的絶縁状態が確保されつつ上記スイッチケースの底部の厚みが上記各固定接点を構成する金属板の材厚に応じた厚みのものとして形成されていることを特徴としたプッシュスイッチとしたものである。上記のようにして各固定接点をスイッチケースに対して固定したものとすることにより、各固定接点の接触部からの延出部分としてなる引き回し部が、その上面をスイッチケースの絶縁樹脂で覆われるようにしてスイッチケースの凹部内底面を構成している底部の絶縁樹脂内に埋設されて配された構成のものであっても、可動接点と中央固定接点との確実な電気的絶縁状態を確保しつつスイッチケースの底部の厚みを、固定接点を形成する金属板の材厚分のみを固定できるような薄いものとすることが可能となり、全体の高さ寸法の小さい薄型のプッシュスイッチを容易に実現することができるという作用を有する。また、絶縁樹脂内に埋設固定される引き回し部に薄肉部が形成されているため、その段差部分で固定接点の固定力も確保されるようになるという作用も有する。
【００２１】
請求項２に記載の発明は、請求項１記載の発明において、引き回し部に加えて、固定接点の接触部の側部側に設けられた端部も薄肉部に形成されてスイッチケースの底部における絶縁樹脂内に固定されているものであり、複数箇所に形成された薄肉部が埋設固定されることによって、固定接点を強固にスイッチケースに固定することができるという作用を有する。
【００２８】
以下、本発明の実施の形態について、図面を用いて説明する。
【００２９】
なお、従来の技術と同一部分には、同一符号を付して詳細な説明を省略する。
【００３０】
（実施の形態１）
図１（ａ），（ｂ）は本発明の第１の実施の形態によるプッシュスイッチの断面図、図２は同分解斜視図、図３は同要部であるスイッチケースの上面図である。
【００３１】
同図において、１１は上方開口の凹部１１Ａを備えた絶縁樹脂製のスイッチケースであり、その凹部１１Ａの内底面１１Ｂには、凸状に加工された中央接触部１２Ａを有する金属板製の中央固定接点１２および、これを挟む対称位置に、同じく凸状に加工された外側接触部１３Ａを有する金属板製の外側固定接点１３がインサート成形により固定されている。
【００３２】
そして、各固定接点１２および１３は、それぞれ引き回し部１２Ｂおよび１３Ｂを介してスイッチケース１１の外方まで直線的に延出され、その突出部分に各接続用端子１２Ｃおよび１３Ｃが構成されている。
【００３３】
この引き回し部１２Ｂおよび１３Ｂのスイッチケース１１の凹部１１Ａ内に対応する部分は、それぞれ使用されている金属板の厚みよりも薄くなるように、所定の圧縮加工が施されて形成された薄肉部となっており、この部分を含んで、引き回し部１２Ｂおよび１３Ｂは、スイッチケース１１の絶縁樹脂内に埋設固定されている。
【００３４】
そして、各固定接点１２および１３の中央および外側接触部１２Ａおよび１３Ａの側部に設けられた端部１２Ｄおよび１３Ｄも、所定の圧縮加工が施されて形成された薄肉部となっており、この端部１２Ｄおよび１３Ｄも、スイッチケース１１の絶縁樹脂内に埋設固定されている。
【００３５】
そして、４は弾性を有する金属薄板製の円形ドーム状の可動接点で、その外周下端４Ａが上記外側固定接点１３の外側接触部１３Ａ上に載せられてスイッチケース１１内に収容されている。
【００３６】
このときに、可動接点４の外周下端４Ａは、中央固定接点１２の引き回し部１２Ｂ上に位置することとなるが、上述のごとくそれに対応する部分の引き回し部１２Ｂは、圧縮加工が施されて形成された薄肉部となって、その上面をスイッチケース１１の絶縁樹脂で覆うようにして埋設固定されているため、可動接点４と中央固定接点１２とは、確実に電気的絶縁状態になっている。
【００３７】
また、その上部に配された５は、下面に粘着剤を塗布された可撓性を有する絶縁フィルムで、スイッチケース１１の上面開口部を覆うように凹部１１Ａの周囲の壁部１１Ｃ上に貼り付けられると共に、可動接点４の中央頂点部４Ｂが貼り付けられて、円形ドーム状の可動接点４をスイッチケース１１内の所定位置に保持すると共に、スイッチ接点部分に対する粉塵、フラックス等の侵入を防止している。
【００３８】
このスイッチケース１１の壁部１１Ｃの高さは、上記の外側固定接点１３の外側接触部１３Ａ上に載せられた可動接点４の中央頂点部４Ｂと同じ高さ位置、もしくはこれよりも僅かに高くするように可動接点４の周囲に亘って設けられている。
【００３９】
このように本実施の形態によるプッシュスイッチは、各固定接点１２，１３を固定するための部分に曲げ加工を施すことなく、端部１２Ｄ，１３Ｄおよび引き回し部１２Ｂおよび１３Ｂのそれぞれ二箇所を薄肉部に形成して、スイッチケース１１を構成する絶縁樹脂内に直線的に埋設固定するようにしているため、スイッチケース１１の底部の厚みは、従来のように曲げ加工が施された接点部分を埋め込める厚みの厚いものを必要とせずに、各固定接点１２および１３を構成する金属板の材厚分のみを固定できるような薄いものでよくなり、スイッチケース１１の底部を容易に薄くすることができる。
【００４０】
このように、プッシュスイッチの全体の高さを決定する主要素となるスイッチケース１１を薄くすることができるため、本実施の形態によるプッシュスイッチは、全体の高さ寸法の小さい薄型のものにできる。
【００４１】
なお、各固定接点１２，１３は、端部１２Ｄ，１３Ｄおよび引き回し部１２Ｂおよび１３Ｂのそれぞれ二箇所を薄肉部に形成してスイッチケース１１の絶縁樹脂内に埋設固定するようにしているため、それらの段差部分で各固定接点１２，１３の固定力も十分に確保することができる。
【００４２】
また、各固定接点１２，１３のそれぞれに対して、薄肉部に形成された端部１２Ｄ，１３Ｄを複数箇所に設けてもよく、さらに、上記端部１２Ｄ，１３Ｄおよび引き回し部１２Ｂおよび１３Ｂの薄肉部の形状も、傾斜を持たせた平板状や、凹凸が繰り返されるもの、波目状のもの等とすると、各固定接点１２，１３のスイッチケース１１への固定力を容易に向上させることができる。
【００４３】
また、上記に説明したように、その薄肉部を圧縮加工を施して形成するようにすると、薄肉部が容易かつ工数が少なく形成でき、薄型のものを安価に構成することができる。
【００４４】
さらに、上記以外の加工方法、例えば切削加工等を用いて薄肉部を形成するようにしてもよく、さらには一枚の中で材厚が異なる金属板を所定形状に打ち抜いて薄肉部を持たせるようにしてもよい。
【００４５】
また、上記構成において、中央および外側固定接点１２および１３どうし間の延面距離を少なくとも０．２mm以上に保つようにすると、それぞれの固定接点１２，１３に銀メッキが施されたものを含んで、高温、高湿環境下に晒された場合にも、中央および外側固定接点１２および１３どうし間のマイグレーションが発生し難いものとなり、使用環境に拘わらず特性の安定した薄型のプッシュスイッチが実現できる。
【００４６】
次に、本実施の形態によるプッシュスイッチの動作について、使用電子機器に装着されて押圧操作される場合について説明する。
【００４７】
図４は本実施の形態によるプッシュスイッチの使用状態を説明する断面図であり、同図において、２０は使用電子機器のプリント配線板で、本プッシュスイッチは、各接続用端子１２Ｃ，１３Ｃ（図４中には、接続用端子１２Ｃ，１３Ｃの内、接続用端子１２Ｃのみしか図示せず）が、所定の配線部にはんだ付けされてプリント配線板２０の所定位置に装着されている。
【００４８】
そして、２１は使用電子機器の樹脂製のケース、２２はこれと一体に薄肉のヒンジ部２２Ａで連結されている操作釦で、この操作釦２２には上方に突出する操作部２２Ｂが設けられていると共に、下方の凸部２２Ｃは本プッシュスイッチの可撓性を有する絶縁フィルム５の中央部に当接している。
【００４９】
このように本プッシュスイッチが装着された電子機器において、操作釦２２の操作部２２Ｂに押圧力を加えて下方に押し下げると、操作釦２２はヒンジ部２２Ａを支点として下方に傾倒移動して、その下方の凸部２２Ｃがプッシュスイッチの絶縁フィルム５を押し下げ、可撓性を有する絶縁フィルム５を介して円形ドーム状の可動接点４の中央頂点部４Ｂを下方に押圧していく。
【００５０】
そして、その押圧力が一定のレベルに達すると可動接点４は節度感を伴って反転動作し、その中央頂点部４Ｂの裏面がスイッチケース１１に固定された中央固定接点１２の中央接触部１２Ａに接触する。
【００５１】
これにより、中央固定接点１２と外側固定接点１３が、円形ドーム状の可動接点４を介して導通してスイッチがオンである状態となり、それぞれの接続用端子１２Ｃ，１３Ｃに接続されているプリント配線板２０の所定の配線部間が導通する。
【００５２】
この後、操作部２２Ｂへの押圧力を除くと、円形ドーム状の可動接点４は、自らの弾性復元力によって元の形状に復元し、絶縁フィルム５を介して操作釦２２を上方に押し戻して図４に示すスイッチがオフである状態に復帰する。
【００５３】
このように本実施の形態によるプッシュスイッチが装着された電子機器は、押圧操作時に節度感を伴ってスイッチング可能なものにできると共に、装着されているプッシュスイッチが、高さ寸法の小さい薄い外形のものであるために、操作部を容易に薄く構成することができる。
【００５４】
なお、上記には、薄肉部を所定の圧縮加工を施して形成されたものを説明したが、この加工方法を用いるようにすると、精度の高く加工された薄肉部を容易かつ工数を少なく得ることができる。
【００５５】
また、それ以外に、切削加工等の加工方法によって薄肉部を形成するようにしてもよく、さらには一枚の中で材厚が異なる金属板を所定形状に打ち抜いて薄肉部を形成するようにしても同様の効果を得ることができる。
【００５６】
（実施の形態２）
本実施の形態によるプッシュスイッチは、実施の形態１によるものに対して、更なる薄型化を図った構成のものであり、図５（ａ），（ｂ）の本発明の第２の実施の形態によるプッシュスイッチの断面図および、図６の同要部であるスイッチケースの上面図を用いて以下に説明する。
【００５７】
本実施の形態によるものは、同図に示すように、スイッチケース３１の凹部３１Ａの内底面３１Ｂに、中央固定接点３２およびこれを挟む対称位置に外側固定接点３３が、インサート成形によって固定されていることは実施の形態１によるものの場合と同じであるが、それらの中央接触部３２Ａおよび外側接触部３３Ａは、凹部３１Ａの内底面３１Ｂと略同一高さ位置で表出しているものとなっている。
【００５８】
そして、各固定接点３２および３３は、それぞれ引き回し部３２Ｂおよび３３Ｂを介してスイッチケース３１の外方まで直線的に延出され、その突出部分に各接続用端子３２Ｃおよび３３Ｃが構成されていること、およびその引き回し部３２Ｂおよび３３Ｂのスイッチケース３１の凹部３１Ａ内に対応する部分は、所定の圧縮加工が施されて形成された薄肉部となっていること、さらに上記薄肉部を含んで引き回し部３２Ｂおよび３３Ｂが、スイッチケース３１の絶縁樹脂内に埋設固定されていることは実施の形態１によるものの場合と同じである。
【００５９】
また、各固定接点３２および３３の中央および外側接触部３２Ａおよび３３Ａの端部３２Ｄおよび３３Ｄも薄肉部に形成されてスイッチケース３１の絶縁樹脂内に埋設固定されていることも、実施の形態１によるものの場合と同じである。
【００６０】
さらに、この外側接触部３３Ａ上に、弾性を有する金属薄板製の円形ドーム状の可動接点４の外周下端４Ａが当接状態に載せられて、可動接点４がスイッチケース３１内に収容されていることや、さらに、可撓性を有する絶縁フィルム５がスイッチケース３１の上面開口部を覆うようにその周囲の壁部３１Ｃ上および、可動接点４の中央頂点部４Ｂ上に貼り付けられて、スイッチケース３１内の所定位置に可動接点４を保持していること等も実施の形態１の場合と同じである。
【００６１】
また、このときに可動接点４の外周下端４Ａの位置に対応する中央固定接点３２の引き回し部３２Ｂは、薄肉部に形成され、その上面がスイッチケース３１を構成する絶縁樹脂によって覆われているために、可動接点４と中央固定接点３２との確実な電気的絶縁状態を保証することができることも実施の形態１の場合と同じである。
【００６２】
本実施の形態によるプッシュスイッチは、上記のごとく構成されるものであり、実施の形態１によるものと同様に、中央および外側固定接点３２および３３の端部３２Ｄ，３３Ｄならびに引き回し部３２Ｂ，３３Ｂが薄肉部に形成されてスイッチケース３１を構成する絶縁樹脂内に直線的に埋設固定された構成であるために、スイッチケース３１の底部の厚みを薄いものにできると共に、これに加えて各固定接点３２および３３の中央および外側接触部３２Ａおよび３３Ａをスイッチケース３１の内底面と同一高さ位置に表出させた構成であるため、スイッチケース３１の高さを更に低くすることができ、より薄型のプッシュスイッチを実現することができる。
【００６３】
なお、本実施の形態によるプッシュスイッチの動作は、実施の形態１によるものの場合と同じであるために説明を省略する。
【００６４】
そして、上記構成においても、中央および外側固定接点３２および３３どうし間の延面距離を少なくとも０．２mm以上に保つようにすると、中央および外側固定接点３２および３３どうし間のマイグレーションが発生し難いものにできることは実施の形態１によるものの場合と同じである。
【００６５】
また、中央固定接点３２の中央接触部３２Ａに対して、凹状にする加工を施しておくようにすると、押圧操作時における可動接点４の中央頂点部４Ｂ裏面との接触部分を増やすことができ、両者の間の接触安定性を向上させることができる。
【００６６】
さらに、図７のスイッチケースの上面図に示すように、中央固定接点３４の表出した中央接触部３４Ａが多接点となる凹形状に加工されたもの、つまり中央部に複数の凹状部３５が組み合わされて設けられたものとすると、押圧操作時における中央接触部３４Ａと図７には図示していない可動接点４の中央頂点部４Ｂ裏面との接触ポイントが増え、その単位面積当たりの接触圧力も高くできるので、両者の間の確実な電気的接続状態が安定して得られるものにできる。
【００６７】
また、同図に示すように、外側固定接点３６の表出した外側接触部３６Ａが多接点となる凹形状に加工されたもの、つまり図７には図示していない可動接点４の外周下端４Ａに対して略直交関係になるように凹状部３７が設けられたものとすると、外側接触部３６Ａと可動接点４の外周下端４Ａとの単位面積当たりの接触圧力を高くすることができ、両者の接触安定性にも優れたものにできる。
【００６８】
（実施の形態３）
本実施の形態によるプッシュスイッチは、実施の形態２によるものに対して、接続用端子の引張り方向に対する強度向上ならびに、使用電子機器への装着時に加わるはんだ熱の緩和を図った構成のものであり、図８に示す本発明の第３の実施の形態によるプッシュスイッチの要部であるスイッチケースの上面図を用いて、実施の形態２とは異なる部分を以下に説明する。
【００６９】
同図に示すように、本実施の形態によるものは、中央および外側固定接点３２および３３と各接続用端子３２Ｃおよび３３Ｃとの連結部である引き回し部３２Ｂおよび３３Ｂに幅方向に水平に突出する張り出し部４１および４２が設けられたものとなっているものである。
【００７０】
このように引き回し部３２Ｂおよび３３Ｂに張り出し部４１および４２を設け、これを含めてスイッチケース３１に固定するようにすると、使用機器への装着時に加わるはんだ熱を上記張り出し部４１および４２で放熱させることができて各固定接点３２および３３への影響を低減できると共に、そのはんだ付け時における各接続用端子３２Ｃおよび３３Ｃの曲げ応力等による影響も吸収して緩和させることができる。
【００７１】
また、上記それぞれの引き回し部３２Ｂおよび３３Ｂには、孔部４３および４４が設けられており、スイッチケース３１用の絶縁樹脂は、その孔部４３および４４内にも充填されてスイッチケース３１が形成されるため、スイッチケース３１に対する引き回し部３２Ｂおよび３３Ｂの固定強度を容易に高くすることができ、張り出し部４１および４２、孔部４３および４４を設けることにより各接続用端子３２Ｃおよび３３Ｃの引張り方向に対する強度を容易に向上させることができる。
【００７２】
このように本実施の形態によるものは、各接続用端子３２Ｃ，３３Ｃの引張り方向に対する強度が向上でき、かつ使用電子機器への装着時に加わるはんだ熱の緩和を図ることができる薄型のものを容易に実現することができる。
【００７３】
なお、上記には、実施の形態２のものに対して張り出し部４１および４２、孔部４３および４４を付加したものを説明したが、実施の形態１によるものに適用しても同様の効果を得ることができる。
【００７４】
【発明の効果】
以上のように本発明によるプッシュスイッチであれば、各固定接点の接触部からの延出部分としてなる引き回し部が、その上面をスイッチケースの絶縁樹脂で覆われるようにしてスイッチケースの凹部内底面を構成している底部の絶縁樹脂内に埋設されて配された構成のものであるにも拘わらず、スイッチケースの底部の薄型化を容易に図ることができて、薄型のプッシュスイッチを得ることができるという有利な効果が得られる。
【図面の簡単な説明】
【図１】本発明の第１の実施の形態によるプッシュスイッチの断面図
【図２】同分解斜視図
【図３】同要部であるスイッチケースの上面図
【図４】同使用状態を説明する断面図
【図５】本発明の第２の実施の形態によるプッシュスイッチの断面図
【図６】同要部であるスイッチケースの上面図
【図７】同要部であるスイッチケースの他の構成事例を示す上面図
【図８】本発明の第３の実施の形態によるプッシュスイッチの要部であるスイッチケースの上面図
【図９】従来のプッシュスイッチの断面図
【図１０】同要部であるスイッチケースの上面図
【符号の説明】
４  可動接点
４Ａ  外周下端
４Ｂ  中央頂点部
５  絶縁フィルム
１１，３１  スイッチケース
１１Ａ，３１Ａ  凹部
１１Ｂ，３１Ｂ  内底面
１１Ｃ，３１Ｃ  壁部
１２，３２，３４  中央固定接点
１２Ａ，３２Ａ，３４Ａ  中央接触部
１２Ｂ，１３Ｂ，３２Ｂ，３３Ｂ  引き回し部
１２Ｃ，１３Ｃ，３２Ｃ，３３Ｃ  接続用端子
１２Ｄ，１３Ｄ，３２Ｄ，３３Ｄ  端部
１３，３３，３６  外側固定接点
１３Ａ，３３Ａ，３６Ａ  外側接触部
２０  プリント配線板
２１  ケース
２２  操作釦
２２Ａ  ヒンジ部
２２Ｂ  操作部
２２Ｃ  凸部
３５，３７  凹状部
４１，４２  張り出し部
４３，４４  孔部
【図１】
0003932762.tif 000002
【図２】
0003932762.tif 000003
【図３】
0003932762.tif 000004
【図４】
0003932762.tif 000005
【図５】
0003932762.tif 000006
【図６】
0003932762.tif 000007
【図７】
0003932762.tif 000008
【図８】
0003932762.tif 000009
【図９】
0003932762.tif 000010
【図１０】
0003932762.tif 000011